(57)【要約】【課題】  従来の文献で示された吸込ノズルと空気量調整用ダンパを吸音材で覆う構成においては、ケーシングの吸込口における吸込音の消音に対しては有効であるが、このケーシング全体及び／又はボイラの消音に対しては、必ずしも十分とは云えない。【構成】  本発明は、吸込口と吐出口を備えた吸音材を付設したケーシング内に、羽根車とモータをそれぞれ設けてなる送風機で、吐出口に区画するようにして吸音材で囲繞された全体視して略細長胴体の吐出通路を形成し、吐出通路に吐出ノズルと吸音部を形成し、この吸音部及び／又は吸音材を利用し、吹出される風の吸音を図る送風機である。【選択図】    図１
2006291743.tif 000002
【特許請求の範囲】
【請求項１】
吸込口と吐出口を備えた吸音材を付設してなるケーシング内に、羽根車とこの羽根車を駆動するモータをそれぞれ設けてなる送風機であって、
この吐出口に区画するようにして吸音材で囲繞された全体視して略細長胴体の吐出通路を形成し、この吐出通路に吐出ノズルと吸音部を形成し、この吸音部及び／又は前記吸音材を利用し、前記吐出口から吹出される風の吸音を図る構成とした送風機。
【請求項２】
吸込口と吐出口を備えたケーシング内に、羽根車とこの羽根車を駆動するモータをそれぞれ設けてなる送風機であって、
この吐出口に区画するようにして吸音材で囲繞された全体視して略細長胴体の吐出通路を形成し、この吐出通路に吐出ノズルと吸音部を形成し、この吸音部及び／又は前記吸音材を利用し、前記吐出口から吹出される風の吸音を図る構成とした送風機。
【請求項３】
請求項１又は請求項２に記載の吐出通路を、側面視して略蛇腹形状とした送風機。
【請求項４】
請求項１又は請求項２に記載の吐出通路を、側面視して二股形状とした送風機。
【請求項５】
請求項１又は請求項２に記載の吐出通路を、側面視して多段折曲げ形状とした送風機。
【請求項６】
請求項３に記載の略蛇腹形状の腹部に吸音材を付設する構成とした送風機。
【請求項７】
請求項４に記載の二股形状の適所に吸音材を付設する構成とした送風機。
【請求項８】
請求項５に記載の多段折曲げ形状の適所に吸音材を付設する構成とした送風機。
【発明の詳細な説明】
【技術分野】
【０００１】
本発明は、工場乾燥用（工場用とする）、ボイラ用、農事・畜産用、洗車機用等の送風機に関する。
【背景技術】
【０００２】
従来、工場用、ボイラ用、農事・畜産用、洗車機用等として利用される送風機であって、渦巻状のケーシングに、吸込口から吸い込んだ空気を、略９０度方向に排気する吐出口を備えた構造の送風機では、その騒音が問題になる場合が多い。そして、吸音材を利用した吸音対策（防音、遮音等対策）としては、特開平５−１１３１９８号の「消音構造のボイラ用送風機」がある（文献（１）とする）。この発明は、吸込ノズルと空気量調整用ダンパを吸音材で覆う構成（吸音用ケーシング構成）であるが、送風機の一部の消音対策（吸音対策）に留まっており、その全体の消音対策としては改良の余地が考えられる。また他の吸音対策として、特開平４−７６３２９号の「空気調和機」がある（文献（２）とする）。この発明は、機体の内部中央にフィルター、電動機，送風機を備えた吸込通路を形成し、この通路両側に略Ｗ形状の熱交換コイル，バルブ機構、ドレンパン、フィルターと、自動制御機器、フィルター等の必要機構を各配置した送風通路を形成し、送風機の送風口の直下に風量調整機構を左右方向往復可動自在に配設した構成とし、この送風機よりの送風量を交互に変更調整して左右送風通路に分岐して送風し、吸音対策を図る構成である。そして、他の分野の一例で、洗車機としては、実開昭６２−５２０６５号（文献（３）とする）の「洗車機における低騒音送風装置」に開示されているように、夜間等の洗車機の駆動に対する騒音の問題が取り上げられている。そのために、この考案を始めとして種々の考案が提案されている。しかし、この種の考案は、何れも渦巻状（遠心力送風機）のケーシング自体に対する吸音材の付設、又は吐出通路（吸音部）に対する吸音材の付設でなく、吸音材の個別の設置であり、所謂、一部の吸音対策である。従って、ケーシング全体に対する消音防止装置でなく、所望する吸音効果とは云えないこと、又はガソリンスタンドの近傍に住宅が築造される現況において、この吸音効果では、騒音問題が発生する確率が高いこと等が考えられる。そして、昨今のガソリンスタンドは、２４時間営業及び／又は洗車機の稼働する状況が増加する傾向にあるので、この吸音対策（消音対策、防音対策、遮音等対策）は急務である。また従来のサイレンサを備えたボイラ用送風機では、送風機の吸込口の前面に空気量調整用ダンパが設置されている。それがため、送風機の吸込口の開度形状が空気量調整用ダンパの開度に応じて変化するとともに、この吸込口及び／又はその近傍で渦が発生して大きな吸込音が発生し、騒音低減効果が十分ではなかった。即ち、空気量調整用ダンパにより逆に吸込音が発生する問題点があった。
【０００３】
【特許文献１】特開平５−１１３１９８号
【特許文献２】特開平４−７６３２９号
【特許文献３】実開昭６２−５２０６５号
【発明の開示】
【発明が解決しようとする課題】
【０００４】
以上の文献（１）では、吸込ノズルと空気量調整用ダンパを吸音材で覆う構成に留まっている。従って、ケーシングの吸込口における吸込による消音（防音等）に対しては、有効であるが、このケーシング全体及び／又はボイラの消音に対しては、必ずしも十分とは云えない。
【０００５】
次に文献（２）は、送風機よりの送風量を交互に変更調整して左右送風通路に分岐して送風し、吸音対策を図る構成である。従って、特定の構造にしか採用できない構成であり、汎用性に欠ける。またこの発明は、吸音材を有効活用して吸音を図る構造ではなく、十分な消音効果が期待できないと考えられる。
【０００６】
さらに文献（３）は、確かに吸音効果は期待できるが、ケーシングの吸込口に吸音材を配備した構成に留まっている。従って、ケーシング（洗車機本体）の吸込口における吸込み音による騒音防止（消音、防音又は吸音）に対しては、有効であるが、このケーシング全体及び／又は洗車機全体の騒音防止に対しては、必ずしも十分とは云えない。
【課題を解決するための手段】
【０００７】
請求項１の発明は、送風機の吸音をこの送風機全体で達成するために最適な構造を提供すること、又は送風機の吐出口に設けた吸音材で囲繞された全体視して略細長胴体の吐出通路という簡易で低コストの吸音装置を提供すること等を意図する。またこの請求項１の発明は、前記略細長胴体の吐出通路の吸音材により、吐出口から送風される風の吐出音を吸収し、吸音効果（消音、防音、遮音等の効果）及び／又は乾燥効率を図ることを意図する。
【０００８】
請求項１は、吸込口と吐出口を備えた吸音材を付設してなるケーシング内に、羽根車とこの羽根車を駆動するモータをそれぞれ設けてなる送風機であって、
この吐出口に区画するようにして吸音材で囲繞された全体視して略細長胴体の吐出通路を形成し、この吐出通路に吐出ノズルと吸音部を形成し、この吸音部及び／又は前記吸音材を利用し、前記吐出口から吹出される風の吸音（消音）を図る構成とした送風機である。
【０００９】
請求項２の発明は、送風機の吸音をこの送風機全体で達成するために最適な構造を提供すること、又はケーシング本体の吸音材と略細長胴体の吐出通路の吸音材とによる二重の吸音効果（消音、防音、遮音等の効果）を図ることで、当該送風機で発生する騒音の略々１００％を無くすことを意図する。またこの請求項２の発明は、前記略細長胴体の吐出通路の吸音材により、吐出口から送風される風の吐出音を吸収し、吸音効果及び／又は乾燥効率を図ることを意図する。その他は請求項１と同じ目的を達成することを意図する。
【００１０】
請求項２は、吸込口と吐出口を備えたケーシング内に、羽根車とこの羽根車を駆動するモータをそれぞれ設けてなる送風機であって、
この吐出口に区画するようにして吸音材で囲繞された全体視して略細長胴体の吐出通路を形成し、この吐出通路に吐出ノズルと吸音部を形成し、この吸音部及び／又は前記吸音材を利用し、前記吐出口から吹出される風の吸音（消音）を図る構成とした送風機である。
【００１１】
請求項３の発明は、請求項１又は請求項２の目的を達成し、この目的を達成するのに最適な吸音材を備えた吐出通路を提供すること等を意図する。
【００１２】
請求項３は、請求項１又は請求項２に記載の吐出通路を、側面視して略蛇腹形状とした送風機である。
【００１３】
請求項４の発明は、請求項１又は請求項２の目的を達成し、この目的を達成するのに最適な吸音材を備えた吐出通路を提供すること等を意図する。
【００１４】
請求項４は、請求項１又は請求項２に記載の吐出通路を、側面視して二股形状とした送風機である。
【００１５】
請求項５の発明は、請求項１又は請求項２の目的を達成し、この目的を達成するのに最適な吸音材を備えた吐出通路を提供すること等を意図する。
【００１６】
請求項５は、請求項１又は請求項２に記載の吐出通路を、側面視して多段折曲げ形状とした送風機である。
【００１７】
請求項６の発明は、請求項３の目的を達成し、この目的を最大に達成するのに最適な吸音材を備えた吐出通路を提供すること等を意図する。
【００１８】
請求項６は、請求項３に記載の略蛇腹形状の腹部に吸音材を付設する構成とした送風機である。
【００１９】
請求項７の発明は、請求項４の目的を達成し、この目的を最大に達成するのに最適な吸音材を備えた吐出通路を提供すること等を意図する。
【００２０】
請求項７は、請求項４に記載の二股形状の適所に吸音材を付設する構成とした送風機である。
【００２１】
請求項８の発明は、請求項５の目的を達成し、この目的を最大に達成するのに最適な吸音材を備えた吐出通路を提供すること等を意図する。
【００２２】
請求項８は、請求項５に記載の多段折曲げ形状の適所に吸音材を付設する構成とした送風機である。
【発明の効果】
【００２３】
請求項１の発明は、吸込口と吐出口を備えた吸音材を付設してなるケーシング内に、羽根車と羽根車を駆動するモータをそれぞれ設けてなる送風機であって、
吐出口に区画するようにして吸音材で囲繞された全体視して略細長胴体の吐出通路を形成し、吐出通路に吐出ノズルと吸音部を形成し、吸音部及び／又は吸音材を利用し、吐出口から吹出される風の吸音を図る構成とした送風機である。
【００２４】
従って、請求項１は、送風機の吸音をこの送風機全体で達成するために最適な構造を提供できること、又は送風機の吐出口に設けた吸音材で囲繞された全体視して略細長胴体の吐出通路という簡易で低コストの吸音装置を提供できること等の特徴を有する。またこの請求項１は、前記略細長胴体の吐出通路の吸音材により、吐出口から送風される風の吐出音を吸収し、吸音効果及び／又は乾燥の効率化が図れる実益がある。
【００２５】
請求項２の発明は、吸込口と吐出口を備えたケーシング内に、羽根車と羽根車を駆動するモータをそれぞれ設けてなる送風機であって、
吐出口に区画するようにして吸音材で囲繞された全体視して略細長胴体の吐出通路を形成し、吐出通路に吐出ノズルと吸音部を形成し、吸音部及び／又は吸音材を利用し、吐出口から吹出される風の吸音を図る構成とした送風機である。
【００２６】
従って、請求項２は、送風機の吸音をこの送風機全体で達成するために最適な構造を提供できること、又はケーシング本体の吸音材と略細長胴体の吐出通路の吸音材とによる二重の吸音効果が図れることで、当該送風機で発生する騒音の略々１００％を無くし得ること等の特徴を有する。またこの請求項２は、前記略細長胴体の吐出通路の吸音材により、吐出口から送風される風の吐出音を吸収し、吸音効果及び／又は乾燥の効率化が図れる実益がある。またその他は請求項１と同じ目的を達成できる特徴がある。
【００２７】
請求項３の発明は、請求項１又は請求項２に記載の吐出通路を、側面視して略蛇腹形状とした送風機である。
【００２８】
従って、請求項３は、請求項１又は請求項２の目的を達成でき、またこの目的を達成するのに最適な吸音材を備えた吐出通路を提供できる特徴がある。
【００２９】
請求項４の発明は、請求項１又は請求項２に記載の吐出通路を、側面視して二股形状とした送風機である。
【００３０】
従って、請求項４は、請求項１又は請求項２の目的を達成でき、またこの目的を達成するのに最適な吸音材を備えた吐出通路を提供できる特徴がある。
【００３１】
請求項５の発明は、請求項１又は請求項２に記載の吐出通路を、側面視して多段折曲げ形状とした送風機である。
【００３２】
従って、請求項５は、請求項１又は請求項２の目的を達成でき、またこの目的を達成するのに最適な吸音材を備えた吐出通路を提供できる特徴がある。
【００３３】
請求項６の発明は、請求項３に記載の略蛇腹形状の腹部に吸音材を付設する構成とした送風機。
【００３４】
従って、請求項６は、請求項３の目的を達成でき、またこの目的を最大に達成するのに最適な吸音材を備えた吐出通路を提供できる特徴がある。
【００３５】
請求項７の発明は、請求項４に記載の二股形状の適所に吸音材を付設する構成とした送風機である。
【００３６】
従って、請求項７は、請求項４の目的を達成でき、またこの目的を最大に達成するのに最適な吸音材を備えた吐出通路を提供できる特徴がある。
【００３７】
請求項８の発明は、請求項５に記載の多段折曲げ形状の適所に吸音材を付設する構成とした送風機である。
【００３８】
従って、請求項８は、請求項５の目的を達成でき、またこの目的を最大に達成するのに最適な吸音材を備えた吐出通路を提供できる特徴がある。
【発明を実施するための最良の形態】
【００３９】
以下、本発明の実施の態様（形態）を説明する。
図面の説明をすると、図１は下向き（図面上の状態において）の吐出口を有する送風機の一例を示した正面図、図２は図１の断面図、図３は図１に示した一例の他の吐出通路を示した断面図、図４は図１に示した一例のさらに他の吐出通路を示した断面図、図５は図１に示した一例の他の例を示した側面図、図６は横向き（図面上の状態において）の吐出口を有する送風機の一例を示した正面図、図７は図６の一例を洗車機に採用した一例を示した模式図、図８は吸音材の一例を示した拡大断面図である。
【００４０】
次に構成の各例を順に説明する。図中１は渦巻状の送風機Ａ（遠心力送風機であるが、軸流送風機等を含む）のケーシングで、このケーシング１は略ラッパ管状の吸込口２と、吐出口３と、この吐出口３に連通して設けた吐出通路４を備えており、この吸込口２から吸込んだ空気を吐出口３と吐出通路４を経由し、この吐出通路４の吐出ノズル４００より機外に排気する構造である。この吐出通路４は略細長胴体であり、図示の如く、略細長立方体を始めとして、略細長筒体、分岐略細長胴体等の各種の形状を採用することもあり得る。この各種の形状は、使用の状態、他の装置との関係、設置の状態等により変更される。図中１００はケーシング１に設けた吸込開口を示す。尚、このケーシング１内には羽根車５と、この羽根車５を駆動するモータ６を内蔵した構成であり、このモータ６の駆動で羽根車５が回転する。この羽根車５の回転で、吸込口２から空気を吸込み、この吸込んだ空気を吐出口３と吐出通路４を経由して排気する（吹出す）構成である。そして、この例では、ケーシング１の少なくとも内壁面１ａ（図示しないが外壁面もあり得る）に吸音材８を付設する。また吐出通路４の少なくとも内壁面４ａ（図示しないが外壁面もあり得る）に吸音材９を付設する。
【００４１】
尚、この吐出通路４の好ましい一例を説明する。先ず、図２の例では、側面視して略蛇腹形状とし、内壁面４ａの吸音材９に曲面の凹凸迂回部を備えた吸音部を形成し、吐出空気を迂回及び／又は拡散等することで、一層の吸音効果及び／又は確実な吐出空気の拡散等を介して効率的な乾燥を図る。次に、図３の例では、側面視して二股形状の迂回部を備えた吸音部とし、それぞれの内壁面４ａに吸音材９を付設し、吐出空気を分割及び／又は拡散等し、一層の吸音効果及び／又は品物の効率的な乾燥を図る。また図４の例では、側面視して多段折曲げ形状とし、内壁面４ａの吸音材９にジグザグの凹凸迂回部を備えた吸音部を形成し、吐出空気を迂回等し、一層の吸音効果を図る。そして、図２の例では吐出通路４の比較的広いスペース４ｂに一本又は数本の棒状の吸音材９００を設け、吐出空気の吸音効果及び／又は品物の効率的な乾燥を図る。この吸音材９００は固定式、回転式等の各種の対応が可能であり、固定式では、構造の簡略化、低コスト化等が図れること、また回転式では、吐出空気をさらに拡散かつ迂回させることで、吸音効果及び／又は品物の効率的な乾燥効果の一層の拡充が図れることが考えられる。さらに形状も丸形棒状、角形棒状、凹凸形状、又は間欠式、テーパー式等を採用する構成とし、多用途、多目的な使用と、時期・場所・使用の態様等に順応できる構造とする。尚、前記送風機Ａは通常の形態であって、例えば、モータ６が外扇方式の場合、このモータ６の軸に羽根車５を直結した方式を採用し、全体構造の簡素化、部品点数の節約、又は外郭構造の小型化、モータ６の冷却効果を意図する。しかし、この外扇方式及び／又はモータ６の軸に羽根車５を直結した方式は、一例であり限定されない。尚、モータ６が全閉式でも採用できる（図示しない）。また本発明の一例では、吐出通路４の送風距離を確保し、吸音効果を図る構成とし、図示の如く、羽根車５を備えた通常のケーシング（図示せず。この通常のケーシングは、主ケーシング１−１と略同じ寸法及び／又は構造である）と、長手方向において、略同寸の、吐出通路４用の副ケーシング１−２を形成する。但し、必要によりこの副ケーシング１−２の寸法は変更される。
【００４２】
また図５に示した例は、モータ６をケーシング１内に設け、吸込開口１００と対峙するように羽根車５を設ける構成であり、吸込み側の吸込み音を吸音することを意図したものであって、吸音効果が図れる。この例では、羽根車５の枠体に吸音材９０１を付設することがより好ましい（図１〜４等の例も同じ）。
【００４３】
また図６に示した一例は、吐出通路４用の副ケーシング１−２を略９０°方向転換した構成であり、この構成は原則として前述した各例（図１〜５の例）に準ずる。この吐出（吹出し）方向の特異性を利用し、例えば、図７に示した洗車機Ｂの送風機Ａとして採用する。この洗車機Ｂは、門形の移動フレームＢ１と、この移動フレームＢ１に配備した複数の空気吹出し用のノズルＢ２と、車輪Ｂ３と、レールＢ４で構成する。そして、ノズルＢ２より吹出される空気を利用して車輌Ｃに付着する水及び／又は水滴、ゴミ等を排除する。
【００４４】
さらに前述した吸込開口１００には、通路１００ａを介してモータ６を囲繞する構成とし、この通路１００ａを通過する空気で、このモータ６の冷却を図りつつ、耐久性の向上と、潤滑部の損傷回避とを図る。尚、図５の例では、吸込口２がモータ６を囲繞し、かつモータ６の周辺に通路１００ａを設けた構造であるが、吸音効果とともに、前述の例と同様な効果が期待できる。
【００４５】
尚、図８に示した吸音材８、９（９００、９０１）は、硬性の内外壁体１１、１２と、内外壁体１１、１２に囲繞された吸音素材１３及び／又は遮音素材１４で構成される。そして、この内壁体１１の全部又は一部に、吸音の向上を司る吸音手段を設ける。この吸音手段は、図示しないが、穴、バーリング付き穴（突起が吸音素材１３、遮音素材１４の方に位置する）、網目、植毛等を個別に、又は複合して設ける。
【図面の簡単な説明】
【００４６】
【図１】図１は下向き（図面上の状態において）の吐出口を有する送風機の一例を示した正面図
【図２】図２は図１の断面図
【図３】図３は図１に示した一例の他の吐出通路を示した断面図
【図４】図４は図１に示した一例のさらに他の吐出通路を示した断面図
【図５】図５は図１に示した一例の他の例を示した側面図
【図６】図６は横向き（図面上の状態において）の吐出口を有する送風機の一例を示した正面図
【図７】図７は図６の一例を洗車機に採用した一例を示した模式図
【図８】図８は吸音材の一例を示した拡大断面図
【符号の説明】
【００４７】
１              ケーシング
１ａ            内壁面
１−１          主ケーシング
１−２          副ケーシング
１００          吸込開口
１００ａ        通路
２              吸込口
３              吐出口
４              吐出通路
４ａ            内壁面
４ｂ            スペース
４００          吐出ノズル
５              羽根車
６              モータ
８              吸音材
９              吸音材
９００          吸音材
９０１          吸音材
１１            内壁体
１２            外壁体
１３            吸音素材
１４            遮音素材
Ａ              送風機
Ｂ              洗車機
Ｂ１            移動フレーム
Ｂ２            ノズル
Ｂ３            車輪
Ｂ４            レール
Ｃ              車輌
【図１】
2006291743.tif 000003
【図２】
2006291743.tif 000004
【図３】
2006291743.tif 000005
【図４】
2006291743.tif 000006
【図５】
2006291743.tif 000007
【図６】
2006291743.tif 000008
【図７】
2006291743.tif 000009
【図８】
2006291743.tif 000010